(57)【要約】【課題】本発明は、多数のＬＥＤを配置した長尺のＬＥＤ基板が透光性管体内の長手方向に収納され、管体の端部に端子部を有する端部キャップを備えたＬＥＤ照明装置において、照明領域の照明の色を変更する場合や、照明領域の明るさを変える場合、電気的に行なうのではなく、管体の回動によって容易に行なうことができる技術を提供するものである。【解決手段】ＬＥＤ基板が透光性管体内の長手方向に収納され、この管体を覆って同軸状態になるように端部キャップに回動可能に支持した外側管体を設け、外側管体は、長手方向の上半部と下半部が異なる透光性を有するように区分された一体成形の合成樹脂製筒であり、外側管体の回動によって、上半部と下半部のいずれが照明側面に対応するかを選択可能としたこと。【選択図】図８
2012009362.tif 000002
【特許請求の範囲】
【請求項１】
多数のＬＥＤを照明側面に配置した長尺のＬＥＤ基板が透光性管体内の長手方向に延在
するよう収納され、ソケット部に嵌合装着される端子部を備えた端部キャップが前記管体
の両端に結合され、前記端子部を通して前記ＬＥＤへ電力が供給されるＬＥＤ照明装置に
おいて、
前記管体を覆って前記管体と略同軸状態になるように前記管体の両端に取り付けられた
前記端部キャップに回動可能に支持した外側管体を設け、
前記外側管体は、長手方向の上半部と下半部が異なる透光性を有するように区分された
一体成形の合成樹脂製筒であり、
前記外側管体の回動によって、前記上半部と下半部のいずれが前記照明側面に対応する
かを選択可能としたことを特徴とするＬＥＤ照明装置。
【請求項２】
前記上半部と下半部が異なる透光性色彩で色分けされたことを特徴とする請求項１に記
載のＬＥＤ照明装置。
【請求項３】
前記上半部と下半部が異なる拡散度を有するように区分されたことを特徴とする請求項
１に記載のＬＥＤ照明装置。
【発明の詳細な説明】
【技術分野】
【０００１】
本発明は、多数のＬＥＤ（発光ダイオード）を配置した長尺帯板状の基板が管体内に収
納されたＬＥＤ照明装置に関し、特に、明るさ、色彩等を変更可能な構造としたＬＥＤ照
明装置に関する。
【背景技術】
【０００２】
透明または半透明の管体１内に、多数のＬＥＤを配置した長尺のＬＥＤ実装基板３と、
ＬＥＤ実装基板３を取り付ける回路基板５が、管体１の長手に延在するように設けられ、
管体１の両端には、管体１内部を閉塞するような状態で口金９が取り付けられ、口金９に
は、従来の直管形蛍光灯の取り付け用ソケット部に嵌合装着される端子部１０が取り付け
られ、回路基板５と端子部１０は、リード線によって電気的に接続された、直管形ＬＥＤ
照明装置がある（特許文献１参照）。
【先行技術文献】
【特許文献】
【０００３】
【特許文献１】特開２０１０−４４９２０号公報
【発明の概要】
【発明が解決しようとする課題】
【０００４】
特許文献１のように、長尺のＬＥＤ実装基板３の片面に多数のＬＥＤを配置した構成で
は、ＬＥＤの照射角度が略１２０度であり、これを例えば天井に取り付けた従来の直管形
蛍光灯の取り付け用ソケット部に嵌合装着する場合、その照射方向は下方に向いた一定状
態となる。この状態で、管体１は透明または半透明であるため、照射される領域の明るさ
や色彩は一定である。
【０００５】
照射される領域の色彩を変える場合、発光色の異なるＬＥＤを使用して、発光させるＬ
ＥＤを電気的に選択して発光色を変えることはできるが、通常照明のための白色ＬＥＤの
他に、発光色の異なるＬＥＤを使用する必要があり、電気回路を含めてコストアップとな
る。また、、照明領域の明るさを変える場合、ＬＥＤへ供給する電圧を電気的に変更する
方法もあるが、切り替えスイッチを含めてコストアップとなる。
【０００６】
本発明は、このような点に鑑み、照明領域の照明の色を変更する場合や、または、照明
領域の明るさを変える場合、このように電気的に行なうのではなく、管体の回動によって
容易に行なうことができる技術を提供するものであり、特に管体が二重の場合において、
照明領域の照明の色または明るさの変更が容易に行なえる技術を提供するものである。
【課題を解決するための手段】
【０００７】
第１発明は、多数のＬＥＤを照明側面に配置した長尺のＬＥＤ基板が透光性管体内の長
手方向に延在するよう収納され、ソケット部に嵌合装着される端子部を備えた端部キャッ
プが前記管体の両端に結合され、前記端子部を通して前記ＬＥＤへ電力が供給されるＬＥ
Ｄ照明装置において、
前記管体を覆って前記管体と略同軸状態になるように前記管体の両端に取り付けられた
前記端部キャップに回動可能に支持した外側管体を設け、
前記外側管体は、長手方向の上半部と下半部が異なる透光性を有するように区分された
一体成形の合成樹脂製筒であり、
前記外側管体の回動によって、前記上半部と下半部のいずれが前記照明側面に対応する
かを選択可能としたことを特徴とする。
【０００８】
第２発明は、第１発明において、前記上半部と下半部が異なる透光性色彩で色分けされ
たことを特徴とする。
【０００９】
第３発明は、第１発明において、前記上半部と下半部が異なる拡散度を有するように区
分されたことを特徴とする。
【発明の効果】
【００１０】
第１発明によって、ＬＥＤ基板が収納された透光性管体は端部キャップに結合されてい
るため、外側管体の回動に関わらず、透光性管体は回動せずＬＥＤ基板の保持が安定する
。このため、外側管体が回動しても、端部キャップからＬＥＤへ電力を供給するためのリ
ード線に捩れ、引っ張り、または屈曲などの作用力が掛からず、リード線の半田付け部分
が外れるなどの損傷を受けないため、ＬＥＤへ安定的に電力を供給することができる状態
を保つことができる。また、端部キャップをソケットに取り付けた状態で、外側管体の回
動に関わらずＬＥＤ基板の照明側面の向きが定まる。そして、端部キャップをソケットに
取り付けた状態で、外側管体を回動して外側管体の上半部と下半部のいずれが照明側面に
対応するかの状態によって、異なる透光性、例えば異なる色での照明や、明るさや眩しさ
の変更が可能となり、ＬＥＤ照明装置が使用される状況に合わせて照明状態を変更するこ
とができるものとなる。
【００１１】
第２発明では、外側管体の回動によって、上半部と下半部のいずれが照明側面に対応す
るかによって、照明領域の照明の色を変更することができるため、例えば、上半部を白色
透明とし下半部を透光性オレンジ色とすれば、オレンジ色照明とする場合は、透光性オレ
ンジ色の下半部を照明側面に対応するように外側管体を回動させればよく、通常照明にす
る場合は、白色透明の上半部を照明側面に対応するように外側管体を回動させればよい。
【００１２】
第３発明では、外側管体の回動によって、上半部と下半部のいずれが照明側面に対応す
るかによって、ＬＥＤから照明領域へ達する光の拡散度が変えられるため、例えば、上半
部の拡散度を小さくしてＬＥＤからの光の眩しさが強い状態とし、下半部の拡散度を大き
くしてＬＥＤからの光の眩しさが弱い状態とした場合、強い光が欲しい場合は上半部を照
明側面に対応するように外側管体を回動させればよく、また、柔らかい光が欲しい場合は
下半部を照明側面に対応するように外側管体を回動させればよい。
【図面の簡単な説明】
【００１３】
【図１】本発明に係るＬＥＤ照明装置の外観図である。
【図２】本発明に係るＬＥＤ照明装置の管体内に収納した基板の状態説明図である。
【図３】図２のＹ方向から見た管体内に収納したＬＥＤ基板の状態説明図である。
【図４】本発明に係るＬＥＤ照明装置の端部キャップと管体内に収納した基板との関係を示す斜視図である。
【図５】本発明に係るＬＥＤ照明装置の端部キャップのリード線の配置状態とＬＥＤ基板の支持部の関係を示す斜視図である。
【図６】本発明に係るＬＥＤ照明装置の端部キャップと管体との関係図である。
【図７】本発明に係るＬＥＤ照明装置の端部キャップ内のリード線の配置状態とＬＥＤ基板の支持部の関係を示す図である。
【図８】図７のＡ−Ａ断面図である。
【図９】本発明に係るＬＥＤ照明装置の端部キャップ、ＬＥＤ基板及び管体の関係を示す分解斜視図である。
【図１０】本発明に係るＬＥＤ照明装置をグロー管点灯方式の直管形蛍光灯照明装置に置換する場合の結線図である。
【図１１】本発明に係るＬＥＤ照明装置をラピッドスタート点灯方式の直管形蛍光灯照明装置に置換する場合の結線図である。
【図１２】本発明に係るＬＥＤ照明装置を専用ソケットに取り付ける場合の結線図である。
【発明を実施するための形態】
【００１４】
本発明は、多数のＬＥＤを照明側面に配置した長尺のＬＥＤ基板が透光性管体内の長手
方向に延在するよう収納され、ソケット部に嵌合装着される端子部を備えた端部キャップ
が前記管体の両端に結合され、前記端子部を通して前記ＬＥＤへ電力が供給されるＬＥＤ
照明装置において、前記管体を覆って前記管体と略同軸状態になるように前記管体の両端
に取り付けられた前記端部キャップに回動可能に支持した外側管体を設け、前記外側管体
は、長手方向の上半部と下半部が異なる透光性を有するように区分された一体成形の合成
樹脂製筒であり、前記外側管体の回動によって、前記上半部と下半部のいずれが前記照明
側面に対応するかを選択可能としたものであり、以下に本発明の実施例を記載する。
【実施例１】
【００１５】
本発明に係るＬＥＤ照明装置１は、従来使用されている直管形蛍光灯照明装置の直管形
蛍光灯に代わって、そのソケット（図１０〜図１１に点線で示す）に取り付けられるよう
にすることを一つの目的とするものであるが、これに限定されず、本発明に係るＬＥＤ照
明装置１を取り付ける専用のソケット１２（図１２に点線で示す）を備える照明器具にも
適用可能な照明装置となるものである。
【００１６】
以下に本発明に係るＬＥＤ照明装置１を図に基づき説明する。ＬＥＤ照明装置１は、多
数の白色ＬＥＤ（発光ダイオード）２を配置した長尺のＬＥＤ基板３が、管体４内の長手
方向（管体４の長軸方向）に延在するよう収納されている。管体４は二重管体を構成して
おり、内側管体４１と外側管体４２が略同軸配置になるように、端部キャップ６が管体４
の両端に配置されている。そして、内側管体４１の長手方向（内側管体４１の長軸方向）
に延在するよう収納され、従来使用されている直管形蛍光灯照明装置等のソケット部１２
（図１０〜図１２に点線で示す）に嵌合装着される端子部５を備えた端部キャップ６が、
内側管体４１の両端に接着等の手段によって結合されている。また、外側管体４２は、後
述のように端部キャップ６に回動可能に支持されている。端部キャップ６がソケット部１
２に嵌合装着された状態で、端子部５に半田付けされたリード線７を介してＬＥＤ２へ所
定の電力が供給され、ＬＥＤ２が発光するものである。
【００１７】
内側管体４１内には、ＬＥＤ基板３の他にＬＥＤ駆動用回路基板８が収納され、適宜の
支持構造でもって支持されている。ＬＥＤ基板３は平板状の合成樹脂製であり、その片側
面が照明側面３Ｐとなるように多数のＬＥＤ２が配置されており、照明側面３Ｐの反対側
となる他方側面（裏面）には、ＬＥＤ２へ電力供給する電気回路素子を取り付けたＬＥＤ
駆動用回路基板８が、ＬＥＤ基板３と並行状態にＬＥＤ基板３に取り付けられている。実
施例では図１乃至図３に示すように、ＬＥＤ照明装置１は、部屋の天井部分等に取り付け
られて下方を照明する状態を示しており、ＬＥＤ基板３の下側面が照明側面３Ｐとなるよ
うに配置された構成である。内側管体４１内の反射光が照明方向へ反射するようにするた
めに、照明側面３Ｐには白色塗装を施している。
【００１８】
ＬＥＤ基板３の照明側面３Ｐには、一列に電気的に直列接続された多数のＬＥＤ２が直
線状に配列される状態でもって、全部で３０６個の白色ＬＥＤ２が３列に所定間隔でもっ
て配置されている。実施例で示すＬＥＤ照明装置１は、長さＬが略１２００ｍｍであり、
この長さに対応する長さのＬＥＤ基板３を１枚の基板で形成することは、コスト的にもア
ップするため、実施例では３枚の単位基板Ａ、Ｂ、Ｃが直列接続されてＬＥＤ基板３を構
成している。このため、単位基板Ａ、Ｂ、Ｃにはそれぞれ１列３４個の白色ＬＥＤ２が３
列に所定間隔でもって配置された状態であり、単位基板Ａ、Ｂ、Ｃの各列のＬＥＤ２は、
電気的に直列接続されて、全体として３０６個のＬＥＤ２が３列構成である。
【００１９】
内側管体４１は、ＬＥＤ２の発光が透過するために、透明または半透明（着色または乳
白色を含む）をなす透光性の合成樹脂（ポリカーボネート、アクリル等）製であり、押し
出し成形または引き抜き成形によって円筒状またはそれに近い筒状に成形されている。平
坦な照明側面３Ｐに取り付けたＬＥＤ２の発光による照射角度は、略１２０度であるため
、平坦な照明側面３Ｐに取り付けた３列の両端の各列のＬＥＤ２の光の照射角度、及び内
側管体４１での反射光を考慮すれば、内側管体４１は、略ＬＥＤ基板３に対応する下方領
域（図１、図２において内側管体４１の略下半分の領域）が透光性をなす構成し、その上
側部分は不透明とすれば、ＬＥＤ基板３よりも上方にあるＬＥＤ駆動用回路基板８、及び
それに取り付けられた電気回路素子が外部から透視できない状態となり、外観上好ましい
形態となる。内側管体４１の成形と同時にこのような透明、不透明に成形すればよいが、
例えば、内側管体４１の上方領域に多数の細かい筋を形成する方法であってもよい。
【００２０】
本発明では、管体４は二重管体を構成しており、内側管体４１と外側管体４２が略同軸
配置になるように、端部キャップ６が管体４の両端に配置されている。外側管体４２は、
ＬＥＤ２の発光が透過するために、透光性の合成樹脂材（ポリカーボネート、アクリル等
）でもって、内側管体４１と外側管体４２が略同軸配置になるように、円筒形状に成形さ
れている。
【００２１】
本発明では、外側管体４２の回動によって照明領域の明るさ、色彩等を変更可能とする
ものであり、外側管体４２は、長手方向の上半部４Ｕと下半部４Ｄが異なる透光性を有す
るように区分するために、図１に一点鎖線で示す線ＰＬから上方領域４Ｕと線ＰＬから下
方領域４Ｄが、明るさ、色彩等を変えた構成である。外側管体４２は、上方領域４Ｕと下
方領域４Ｄが一体成形される合成樹脂材の押し出し成形または引き抜き成形で形成された
円筒状またはそれに近い筒状であるが、上方領域４Ｕと下方領域４Ｄがそれぞれ半円筒状
に別個に形成されたものが組み合わされて円筒状をなすものであってもよい。
【００２２】
端部キャップ６は、円筒状の内側管体４１と外側管体４２に合わせるために、電気絶縁
材である合成樹脂材でもって円筒状に形成されている。端子部５は、電気絶縁材の端子支
持部材１４に取り付けられた状態で、端子側コネクタ１１Ｂを備えたリード線７の一端と
半田付けにて接続される。端部キャップ６への端子支持部材１４の取り付けは、端子支持
部材１４と一体に組み合わせたカップ状の金属製外観部材１４Ａが、端部キャップ６の外
側端の環状取り付け部６Ａの外面に接着にて行なわれる。
【００２３】
内側管体４１の両端部に取り付けた端部キャップ６の端子部５は、それぞれ２本のピン
を備えたものであるが、これは従来使用されている直管形蛍光灯照明装置のソケット部１
２（図１０〜図１２に点線で示す）に嵌合装着されるための構成となっているためである
。このため、直管形蛍光灯に替えてＬＥＤ照明装置１を直管形蛍光灯照明装置のソケット
部１２に嵌合装着する場合において、直管形蛍光灯の点灯がグロー管方式であった場合は
、図１０に示すように、グロー管を取り外すと共に、安定器への配線は×印で示すように
切り離した状態でもって、新たなバイパス結線１３を結線する。この状態で、ＬＥＤ照明
装置１をソケット部１２に嵌合装着すれば、商用交流電力ＡＣがこのバイパス結線１３を
通して、管体４の一方側（図１０の左方側）の端子部５の２本のピンのうちのいずれか一
方と、管体４の他方側（図１０の右方側）の端子部５の２本のピンのうちのいずれか一方
とに供給されるものとなる。
【００２４】
また、直管形蛍光灯の点灯がグロー管方式でないラピッドスタート方式の場合は、図１
１に示すように、安定器への配線は×印で示すように切り離した状態でもって、新たなバ
イパス結線１３を結線する。この状態で、ＬＥＤ照明装置１をソケット部１２に嵌合装着
すれば、商用交流電力ＡＣがこのバイパス結線１３を通して、管体４の一方側（図１１の
左方側）の端子部５の２本のピンのうちのいずれか一方と、管体４の他方側（図１１の右
方側）の端子部５の２本のピンのうちのいずれか一方に供給されるものとなる。
【００２５】
図１２には、ＬＥＤ照明装置１の専用ソケット方式を示している。この場合は、ＬＥＤ
照明装置１を専用ソケット部１２に嵌合装着すれば、商用交流電力ＡＣが専用ソケット部
１２から、管体４の一方側（図１２の左方側）の端子部５の２本のピンのうちのいずれか
一方と、管体４の他方側（図１２の右方側）の端子部５の２本のピンのうちのいずれか一
方とに供給される配線である。
【００２６】
このようにしてＬＥＤ照明装置１の両端の端子部５へ供給される商用交流電力ＡＣによ
って、ＬＥＤ２が発光するようにするために、ＬＥＤ２へ電力供給する電気回路素子Ｓを
取り付けたＬＥＤ駆動用回路基板８が設けられている。ＬＥＤ駆動用回路基板８には、左
右の端子部５にそれぞれリード線７側の端子側コネクタ１１Ｂと接続される基板側コネク
タ１１Ａが配置され、これらの基板側コネクタ１１Ａと端子側コネクタ１１Ｂが接続され
た状態で、左右の端子部５からリード線７を介して商用交流電力ＡＣが、ＬＥＤ駆動用回
路基板８の電気回路素子Ｓに供給される。この電気回路素子Ｓとして、ＬＥＤ駆動用回路
基板８には、この左右の端子部５からリード線７を介して供給される商用交流電力ＡＣを
整流して所定の直流ＤＣとするための整流回路を含むＡＣ／ＤＣ変換回路部９と、ＡＣ／
ＤＣ変換回路部９から供給される直流ＤＣを所定電圧としてＬＥＤ２に供給する電圧制御
部１０を備えている。
【００２７】
ＬＥＤ基板３を円筒状の内側管体４１内に支持するために、円筒状の内側管体４１の内
面には、内側管体４１の長さ方向（内側管体４１の軸方向）へ延びた対向する一対の支持
溝４Ａが、内側管体４１の形成と同時に形成されている。一対の支持溝４Ａは、図７及び
図８に示すように、それぞれ内側管体４１の長さ方向（内側管体４１の軸方向）へ延びた
対向する一対のリブ４Ｂ、４Ｂ間に形成されており、一対のリブ４Ｂ、４Ｂの間隔は、Ｌ
ＥＤ基板３の厚さよりも若干大きい寸法の間隔を存して、内側管体４１の形成と同時に、
内側管体４１の全長に亘って形成されている。一対の支持溝４Ａに支持されたＬＥＤ基板
３は、図７及び図８に示すように、内側管体４１の上下の中央部よりも若干下方に位置す
る。これは、上記のように照明側面３Ｐに取り付けたＬＥＤ２の照射角度は、略１２０度
であること、及び電気回路素子Ｓを取り付けたＬＥＤ駆動用回路基板８がＬＥＤ基板３の
裏側に配置されている状態での収納を考慮したためである。
【００２８】
図４に示すように、電気回路素子Ｓを取り付けたＬＥＤ駆動用回路基板８の幅Ｔ１は、
ＬＥＤ基板３の幅Ｔ２よりも十分小さく設定され、ＬＥＤ駆動用回路基板８の幅Ｔ１の両
側に、ＬＥＤ基板３の長尺方向に並行に延びた長尺端縁３Ａが存在する配置でもって、Ｌ
ＥＤ駆動用回路基板８をＬＥＤ基板３の裏側に取り付けている。このような構成において
、図９に示すように、内側管体４１の一端開口から、ＬＥＤ基板３の長尺端部３Ａを内側
管体４１内の一対の支持溝４Ａにスライドにて挿入し、ＬＥＤ基板３を内側管体４１内に
収納する。また内側管体４１よりも長尺の外側管体４２内には、内側管体４１が挿入され
る。このような状態において、内側管体４１及び外側管体４２の左右の開口端部に端部キ
ャップ６が取り付けられる。
【００２９】
この取り付けを達成するために、端部キャップ６には、円筒形状の内側管体４１が結合
される円筒形状の環状取り付け部６Ｂ１と、円筒形状の外側管体４２が回動可能に支持さ
れるように環状取り付け部６Ｂ１よりも大径の円筒形状の環状取り付け部６Ｂ２が形成さ
れている。環状取り付け部６Ｂ２の基部には環状のストッパフランジ６Ｃが形成されてい
る。また、環状取り付け部６Ｂ１には、一対のリブ４Ｂ、４Ｂが挿入される切り欠き６Ｄ
が形成されている。
【００３０】
ＬＥＤ基板３が内側管体４１内に収納され、外側管体４２内に内側管体４１が挿入され
た状態で、内側管体４１及び外側管体４２の左右の開口端部へ端部キャップ６を取り付け
る際に、先ず基板側コネクタ１１Ａと端子側コネクタ１１Ｂとを結合させ、この状態で、
内側管体４１の左右の開口端部のうちの一方側に、一方側の端部キャップ６の環状取り付
け部６Ｂ１を嵌め合わせる。この嵌め合わせに伴って、一対のリブ４Ｂ、４Ｂが切り欠き
６Ｄに挿入されつつ、内側管体４１の開口端部が環状取り付け部６Ｂ１の基部の段部に当
接する状態まで、内側管体４１を内側端の環状取り付け部６Ｂ１の外面に挿入する。この
挿入によって、環状取り付け部６Ｂ１と内側管体４１とは、少なくともそのいずれか一方
に塗布した接着剤によって結合され、環状取り付け部６Ｂ１と内側管体４１とが結合され
一体化される。この状態で、外側管体４２の左右の開口端部のうちの一方側を、この一方
側の端部キャップ６の環状取り付け部６Ｂ２に嵌め合わせる。
【００３１】
このようにして、内側管体４１と外側管体４２の左右の開口端部のうちの一方側に一方
側の端部キャップ６が嵌め合わされるが、これと同様にして、内側管体４１と外側管体４
２の他方側の開口端部に、他方側の端部キャップ６が嵌め合わされ、ＬＥＤ照明装置１が
組み立てられる。
【００３２】
このようにして、内側管体４１と外側管体４２の左右の開口端部の双方に端部キャップ
６が嵌め合わされた状態で、内側管体４１内の一対の支持溝４Ａに挿入支持されたＬＥＤ
基板３が、内側管体４１内の所定位置に収まり位置決めされるようにするために、切り欠
き６Ｄの形成に伴って切り欠き６Ｄの底部には、基板ストッパ部６Ｅが端部キャップ６に
形成される。これによって、上記のように内側管体４１の左右の開口端部への端部キャッ
プ６の取り付けによって、ＬＥＤ基板３が内側管体４１の左右のいずれかの方向へずれて
おれば、図８に示すように、ＬＥＤ基板３の長尺方向の端部３Ｂが基板ストッパ部６Ｅに
当接して、ＬＥＤ基板３が内側管体４１の左右の中央位置へ位置決めされる状態となる。
この位置決めは、ＬＥＤ２の発光が内側管体４１の全長から均一に得られるようにするた
めに有効である。
【００３３】
この組み立てによって、ＬＥＤ基板３が内側管体４１内に収納され、端部キャップ６と
内側管体４１が結合された状態でもって、ＬＥＤ照明装置１の端子部５を専用ソケット部
１２に嵌合装着すれば、照明側面３Ｐを所定の照明方向（例えば、図１に示すように下方
向）に向いた状態に取り付けた状態になる。そして、この状態において、外側管体４２は
、内側管体４１の全周面と若干の間隔を存した状態に、端部キャップ６の環状取り付け部
６Ｂ２に支持された状態で、回動可能である。このため、図２に示すように下方に向いた
照明側面３Ｐに対応するように、上半部４Ｕが下方位置、または下半部４Ｄが下方位置と
なるように、外側管体４２を１８０度ずつ一方向へまたは反対方向へ回動できる。外側管
体４２は、長手方向の上半部４Ｕと下半部４Ｄが異なる透光性を有するように区分されて
いるため、このような外側管体４２の回動によって、照明領域の明るさ、色彩等を変更可
能となる。
【００３４】
図２に示すように、照明側面３Ｐが下向きのＬＥＤ照明装置１において、上記のように
、上半部４Ｕが下方位置または下半部４Ｄが下方位置となるように、下向きの照明側面３
Ｐに対応するように、端部キャップ６の環状取り付け部６Ｂ２に対する外側管体４２の回
動位置決めを行なうために、端部キャップ６と外側管体４２とに位置決め手段が設けられ
ている。この位置決め手段の一つとして、図７等に示すように、外側管体４２の内面には
一条の突起１９が外側管体４２の管軸方向に成形されており、環状取り付け部６Ｂ２には
左右対称位置に嵌合溝１８が形成されている。これによって、外側管体４２の１８０度回
動ごとに、突起１９が嵌合溝１８に嵌合し、その時点で上半部４Ｕまたは下半部４Ｄが照
明側面３Ｐに対応する状態に外側管体４２が位置決めされる。
【００３５】
ＬＥＤ照明装置１が、照明領域の明るさを変更するものでは、上半部４Ｕと下半部４Ｄ
が異なる拡散度を有するように区分された外側管体４２となる。このため、上半部４Ｕの
拡散度を小さくしてＬＥＤ２からの光の眩しさが強い状態とし、下半部４Ｄの拡散度を大
きくしてＬＥＤ２からの光の眩しさが弱い状態とした場合、強い光が欲しい場合は上半部
を照明側面３Ｐに対応するように外側管体４２を回動させればよく、また、柔らかい光が
欲しい場合は下半部４Ｄを照明側面３Ｐに対応するように外側管体４２を回動させればよ
い。
【００３６】
また、ＬＥＤ照明装置１が、照明領域の色彩を変更するものでは、上半部４Ｕと下半部
４Ｄが異なる透光性色彩で色分けされた外側管体４２となる。このため、上半部４Ｕを白
色透明とし下半部４Ｄを透光性オレンジ色とすれば、オレンジ色照明とする場合は、透光
性オレンジ色の下半部４Ｄを照明側面に対応するように外側管体４２を回動させればよく
、通常照明にする場合は、白色透明の上半部４Ｕを照明側面に対応するように外側管体４
２を回動させればよい。
【００３７】
外側管体４２の回動は、手動式でもよいが、ＬＥＤ照明装置１が部屋の天井に取り付け
られる場合等では、その回動操作がし難いので、電動式とすることもできる。この電動式
の場合は、端部キャップ６の外面部分に電動機を取り付け、この電動機の回転軸の回転を
減速歯車機構によって外側管体４２を低速回転させるようにすればよい。この場合、リモ
ートコントローラによってこの電動機の運転を制御する方式とすれば便利である。この電
動機の回転によって、外側管体４２が一方向へ１８０度ずつ回転する方式と、外側管体４
２が一方向へ１８０度し次に逆方向へ１８０度回転する方式のいずれの方式でもよい。こ
れによって、上記のように照明領域の明るさや色彩を変更することができる。なお、この
電動式の場合は、突起１９と嵌合溝１８による位置決め手段は省略できる。
【００３８】
上記のようにして内側管体４１、外側管体４２及び端部キャップ６とは結合されるが、
この組立作業において、リード線７が引っ張られたり、撓んだり、捩じれたりした場合、
その作用力がリード線７と端子部５との半田付け箇所に直接掛かれば、この半田付け箇所
が剥がれたり、接触不良状態になったり等、電気的接続不良が生じる。また、端子側コネ
クタ１１Ｂを取り付けたリード線７が端子部５に半田付けされた状態で、上記のような組
立作業の準備中や運搬中に、引っ張りや捩じれ等による作用力が半田付け箇所に掛かった
場合も、同様に電気的接続不良が生じる虞がある。このような事態にならないようにする
技術について、以下に、その具体的な構成について記載する。
【００３９】
図５、図７、図８等に示すように、端部キャップ６の内側には、環状取り付け部６Ｂで
囲まれた内方領域に、環状取り付け部６Ｂから突出しない範囲で、リード線７の途中を屈
曲係止する係止部１５を備え、この屈曲係止によってリード線７と端子部５との半田付け
箇所へ掛かるリード線７の引っ張りや撓み等の作用力を吸収するようにしている。
【００４０】
係止部１５は、向かい合った一対の第１係止部１５Ａ、１５Ａと、第２係止部１５Ｂ、
１５Ｂによって構成している。第１係止部１５Ａ、１５Ａは、端部キャップ６内の内外隔
壁１６に形成した孔１６Ａに端部に形成され、この孔１６Ａに臨むように第２係止部１５
Ｂ、１５Ｂが形成されている。このため、端子部５から延びた２本のリード線７は、それ
ぞれ孔１６Ａの近傍で内外隔壁１６を貫通して第２係止部１５Ｂ、１５Ｂに係止するよう
に屈曲した後、端子側コネクタ１１Ｂへ延びる。この状態で、図８に示すように、２本の
リード線７はそれぞれ第１係止部１５Ａ、１５Ａに係止すると共に孔１６Ａに一部が侵入
する状態で、第２係止部１５Ｂ、１５Ｂに係止した状態となる。第１係止部１５Ａ、１５
Ａと、第２係止部１５Ｂ、１５Ｂへのリード線７の係止は、第２係止部１５Ｂ、１５Ｂ間
からリード線７を屈曲させつつ挿入係止することによって達成できる。
【００４１】
第１係止部１５Ａ、１５Ａと、第２係止部１５Ｂ、１５Ｂへのリード線７の係止は、第
２係止部１５Ｂ、１５Ｂ間からリード線７を屈曲させつつ、図５に矢印Ｑで示す方向へ挿
入係止することによって達成できる。
【００４２】
これによって、端子側コネクタ１１Ｂ側へリード線７が引っ張られても、主として第２
係止部１５Ｂに係止するため、この引っ張り作用力がこの部分で吸収されて、端子部５と
の半田付け箇所へ掛かることが防止または抑制される。また端子側コネクタ１１Ｂ側から
端子部５方向へリード線７が撓んでも、主として第２係止部１５Ｂに押し圧係止するため
、この撓み作用力がこの部分で吸収されて、端子部５との半田付け箇所へ掛かることがな
いか抑制される。また、リード線７が捩じれた場合には、第１係止部１５Ａ、１５Ａ及び
第２係止部１５Ｂ、１５Ｂのいずれかまたは双方によって、この捩じれ作用力がこの部分
で吸収されて、端子部５との半田付け箇所へ掛かることがないか抑制される。
【００４３】
図８に示すように、第１係止部１５Ａ、１５Ａと、第２係止部１５Ｂ、１５Ｂへリード
線７を係止した状態で、２本のリード線の途中がＳ字状屈曲となる状態で係止されること
により、リード線７の引っ張り、撓み、捩じれによる作用力の吸収は、更に良好な効果を
得ることができる。
【００４４】
また、上記のようなリード線７の引っ張り、撓み、捩じれによる作用力の吸収は、内外
隔壁１６に形成した孔１６Ａが存在しない構成でも差し支えないが、この孔１６Ａの存在
によって、更に良好な効果を得ることができる。また、この孔１６Ａに相当する部分で隔
壁１６が端子部５側へ窪んでいても、この係止部１５に部分で２本のリード線の途中がＳ
字状屈曲となる状態で係止されることとなり、同様の効果を得ることができる。
【００４５】
図８に示すように、ＬＥＤ基板３の長尺方向の端部３Ｂが基板ストッパ部６Ｅに当接し
て、ＬＥＤ基板３が内側管体４１の左右の中央位置へ位置決めされる状態となる。このス
トッパ部６Ｅは、環状取り付け部６Ｂで囲まれた内方領域において、ＬＥＤ基板３の長手
方向端部３Ｂに当接または近接する位置であり、且つ、ＬＥＤ基板３の長手方向端部３Ｂ
が、係止部１５によって屈曲係止されたリード線７の屈曲部に当接しないように、ＬＥＤ
基板３の長手方向移動を制限する作用をする位置である。このため、ＬＥＤ基板３の長手
方向移動がストッパ部６Ｅによって制限されるため、運搬中などでＬＥＤ基板３が移動し
てリード線７の被覆損傷等を防止できる。
【産業上の利用可能性】
【００４６】
本発明に係るＬＥＤ照明装置は、上記実施例に示した構成に限らず、その他の形態にも
本発明の技術が適用できるものであり、本発明の技術範囲において種々の形態のＬＥＤ照
明装置を包含するものである。
【符号の説明】
【００４７】
１・・・・・ＬＥＤ照明装置
２・・・・・ＬＥＤ
３・・・・・ＬＥＤ基板
３Ａ・・・・照明側面
３Ｂ・・・・ＬＥＤ基板３の長手方向端部
３Ｐ・・・・照明側面
４・・・・・管体
４１・・・・内側管体
４２・・・・外側管体
４Ａ・・・・溝
４Ｂ・・・・リブ
５・・・・・端子部
６・・・・・端部キャップ
６Ｂ１・・・・環状取り付け部
６Ｂ２・・・・環状取り付け部
６Ｄ・・・・切り欠き
６Ｅ・・・・ストッパ部
７・・・・・リード線
８・・・・・ＬＥＤ駆動用回路基板
９・・・・・ＡＣ／ＤＣ変換回路部
１０・・・・電圧制御部
１１Ａ・・・基板側コネクタ
１１Ｂ・・・端子側コネクタ
１２・・・・ソケット
１３・・・・バイパス線
１５・・・・係止部
１５Ａ・・・第１係止部
１５Ｂ・・・第２係止部
１６・・・・隔壁
１６Ａ・・・孔
１８・・・・嵌合溝
１９・・・・突起
【図１】
2012009362.tif 000003
【図２】
2012009362.tif 000004
【図３】
2012009362.tif 000005
【図４】
2012009362.tif 000006
【図５】
2012009362.tif 000007
【図６】
2012009362.tif 000008
【図７】
2012009362.tif 000009
【図８】
2012009362.tif 000010
【図９】
2012009362.tif 000011
【図１０】
2012009362.tif 000012
【図１１】
2012009362.tif 000013
【図１２】
2012009362.tif 000014